(57)【要約】【課題】操作レバーの長さを延長することができる延長カバーをより安定的に保持することができるトリガー式噴出器を提案する。【解決手段】本発明は、噴出器本体に対して前後方向に揺動可能に保持され、前方壁１５ａ及び一対の側壁１５ｂを有する操作レバー１５を備えるトリガー式噴出器において、前方壁１５ａよりも長さが長い延長前方壁１６ａと、延長前方壁１６ａに連結するとともに側壁１５ｂよりも長さが長い一対の延長側壁１６ｂと、延長前方壁１６ａ及び延長側壁１６ｂで囲まれる内側空間Ｓに設けられる仕切り壁１６ｃと、延長前方壁１６ａを貫く少なくとも１つの貫通孔１６ｅと、貫通孔１６ｅに正対する位置において延長側壁１６ｂから他方の延長側壁１６ｂに向けて延在し、更に延長前方壁１６ａに向けて突出するレール部１６ｄを有する延長カバー１６を備える。【選択図】図１
2019210051.tif 000002
【特許請求の範囲】
【請求項１】
容器に装着される噴出器本体と、該噴出器本体に対して前後方向に揺動可能に保持され、操作時に指をかける前方壁、及び該前方壁に連結する一対の側壁とを有する操作レバーとを備え、該操作レバーを前後方向に揺動させることにより該噴出器本体に設けたポンプを駆動させて該容器に収容した内容液を吸引、加圧、圧送して外界に噴出させるトリガー式噴出器において、
前記前方壁よりも長さが長い延長前方壁と、該延長前方壁に連結するとともに前記側壁よりも長さが長い一対の延長側壁と、該延長前方壁及び該延長側壁で囲まれる内側空間に設けられる仕切り壁と、該延長前方壁を貫く少なくとも１つの貫通孔と、該貫通孔に正対する位置において該延長側壁から他方の該延長側壁に向けて延在し、更に該延長前方壁に向けて突出するレール部とを有し、該内側空間に前記操作レバーを先端側から挿入することによって、該側壁に該レール部が係合保持されるとともに該操作レバーの先端部が該仕切り壁に当接して、該操作レバーに対して所定の位置に装着される延長カバーを備えるトリガー式噴出器。
【請求項２】
前記操作レバーは、前記前方壁を貫く開口を有し、前記延長カバーは、該操作レバーに該延長カバーを装着した際に該開口に係合する突部を有する請求項１に記載のトリガー式噴出器。
【請求項３】
前記仕切り壁は、前記延長カバーを前記操作レバーに装着する際、当接する前記操作レバーの先端部によって撓む厚みで設けられる請求項２に記載のトリガー式噴出器。
【請求項４】
前記仕切り壁は、前記延長前方壁に連結する一方、前記一対の延長側壁とは非連結である請求項２又は３に記載のトリガー式噴出器。
【請求項５】
前記延長カバーは、前記仕切り壁に設けられ、前記操作レバーに該延長カバーを装着した際に該操作レバーの先端部に係合する爪部を有する請求項１〜４の何れか一項に記載のトリガー式噴出器。
【発明の詳細な説明】
【技術分野】
【０００１】
本発明は、内容液を収容する容器に装着され、前後方向に操作レバーを揺動させることによって外界に内容液を噴出させるトリガー式噴出器に関する。
【背景技術】
【０００２】
黴取り剤や洗剤、忌避剤の他、芳香剤や各種薬品等の内容液を収容する容器においては、容器の口部に装着され、前後方向に操作レバーを揺動させることによって噴出器本体に設けたポンプを駆動させて内容液を直線状、霧状、或いは泡状にして噴出させるトリガー式噴出器が多用されている。
【０００３】
このようなトリガー噴出器においては、例えば特許文献１に示されているように、操作レバー（トリガー）に対して長さの長い延長カバー（カバー体）を取り付けることによって、操作レバーを揺動させる際の力を軽減できるものが知られている。同文献に一実施例として示されたトリガー噴出器は、操作レバーの下端部に設けた円柱状の軸部に対して延長カバーの下端部に設けた断面Ｃ字状の軸受けを嵌合させ、使用時には延長カバーを回動させて操作レバーが延長されるように構成されている。
【先行技術文献】
【特許文献】
【０００４】
【特許文献１】特許第６０２１２２２号公報
【発明の概要】
【発明が解決しようとする課題】
【０００５】
ところで、使用者等によって延長カバーが簡単に取り外せる構造を採用すると、輸送中に延長カバーが脱落するおそれがあるうえ、使用中に延長カバーが外れてしまうことも想定される。この点につき、特許文献１をはじめとする従来のトリガー式噴出器も十分に考慮されているが、延長カバーの脱落が更に安定的に防止できれば好ましい。
【０００６】
本発明は、このような検討に基づいてなされたものであり、操作レバーの長さを延長することができる延長カバーを、より安定的に保持することができるトリガー式噴出器を提供することを目的とする。
【課題を解決するための手段】
【０００７】
本発明は、容器に装着される噴出器本体と、該噴出器本体に対して前後方向に揺動可能に保持され、操作時に指をかける前方壁、及び該前方壁に連結する一対の側壁とを有する操作レバーとを備え、該操作レバーを前後方向に揺動させることにより該噴出器本体に設けたポンプを駆動させて該容器に収容した内容液を吸引、加圧、圧送して外界に噴出させるトリガー式噴出器において、
前記前方壁よりも長さが長い延長前方壁と、該延長前方壁に連結するとともに前記側壁よりも長さが長い一対の延長側壁と、該延長前方壁及び該延長側壁で囲まれる内側空間に設けられる仕切り壁と、該延長前方壁を貫く少なくとも１つの貫通孔と、該貫通孔に正対する位置において該延長側壁から他方の該延長側壁に向けて延在し、更に該延長前方壁に向けて突出するレール部とを有し、該内側空間に前記操作レバーを先端側から挿入することによって、該側壁に該レール部が係合保持されるとともに該操作レバーの先端部が該仕切り壁に当接して、該操作レバーに対して所定の位置に装着される延長カバーを備えるトリガー式噴出器である。
【０００８】
前記操作レバーは、前記前方壁を貫く開口を有し、前記延長カバーは、該操作レバーに該延長カバーを装着した際に該開口に係合する突部を有することが好ましい。
【０００９】
前記仕切り壁は、前記延長カバーを前記操作レバーに装着する際、当接する前記操作レバーの先端部によって撓む厚みで設けられることが好ましい。
【００１０】
前記仕切り壁は、前記延長前方壁に連結する一方、前記一対の延長側壁とは非連結であることが好ましい。
【００１１】
前記延長カバーは、前記仕切り壁に設けられ、前記操作レバーに該延長カバーを装着した際に該操作レバーの先端部に係合する爪部を有することが好ましい。
【発明の効果】
【００１２】
本発明のトリガー噴出器における延長カバーは、延長前方壁と延長側壁で囲まれる内側空間に操作レバーを挿入することによって、延長側壁に設けたレール部が操作レバーの側壁に係合保持されるとともに、操作レバーの先端部が延長カバーの仕切り壁に当接し、これにより延長カバーが操作レバーに対して所定の位置に装着されるようにしている。すなわち、操作レバーに対して延長カバーをスライドさせるようにして簡単に装着することができる。一方、装着後は、延長カバーのレール部が操作レバーの側壁に係合保持されるため、延長カバーを左右に捻ったり、これを前後方向に撓ませたりしても、操作レバーから簡単に外れることはない。
【００１３】
また、操作レバーと延長カバーに対し、上述した開口と突部をそれぞれ設ける場合は、開口と突部によって延長カバーの抜け出しが阻止されるため、操作レバーに対して延長カバーを一層安定的に保持することができる。また延長カバーの仕切り壁に、上述した爪部を設ける場合も、延長カバーの抜け出しを防止してこれを安定的に保持することができる。
【００１４】
なお操作レバーの寸法は、例えば原材料の種類や成形時の各種条件の違いによってばらつきが生じることがある。このため操作レバーの全長が大きくなると、操作レバーの先端部が延長カバーの仕切り壁に当接した際、上述した開口に突部が係合できないおそれがある。ここで仕切り壁を、当接する操作レバーの先端部で撓む程度の薄い厚みに設定しておくことによって、全長が大きな操作レバーでも、開口に突部を係合させることができるため、延長カバーを良好に装着することができる。また、延長カバーを操作レバーに装着した際に仕切り壁が撓むように、仕切り壁を延長前方壁に連結させる一方、一対の延長側壁とは非連結としてもよい。
【図面の簡単な説明】
【００１５】
【図１】本発明に従うトリガー式噴出機の第一実施形態を示す側面視での断面図である。
【図２】図１に示したトリガー式噴出器の正面図である。
【図３】図１に示した延長カバーを示す図であって、（ａ）は正面図、（ｂ）は側面視での断面図、（ｃ）は背面図、（ｄ）は平面図である。
【図４】本発明に従うトリガー式噴出機の第二実施形態を示す側面視での断面図である。
【図５】図４に示したトリガー式噴出器の正面図である。
【図６】図４に示した延長カバーを示す図であって、（ａ）は正面図、（ｂ）は側面視での断面図、（ｃ）は背面図、（ｄ）は平面図である。
【図７】本発明に従うトリガー式噴出機の第三実施形態を示す側面視での断面図である。
【図８】図７に示したトリガー式噴出器の正面図である。
【図９】図７に示した延長カバーを示す図であって、（ａ）は正面図、（ｂ）は側面視での断面図、（ｃ）は背面図、（ｄ）は平面図である。
【図１０】図７に示したトリガー式噴出機において、全長が長い操作レバーに対して延長カバーを装着した状況を示した図である。
【図１１】図９に示した延長カバーの変形例を示す図であって、（ａ）は正面図、（ｂ）は側面視での断面図、（ｃ）は背面図、（ｄ）は平面図である。
【発明を実施するための形態】
【００１６】
以下、本発明に従うトリガー式噴出器の一実施形態について、図面を参照しながら説明する。まず、図１〜図３を参照しながら、本発明に従うトリガー式噴出器の第一実施形態について説明する。
【００１７】
図１に示すように本実施形態のトリガー式噴出器は、噴出器本体を構成する装着キャップ１、ボディ２、シリンダ部材３、ピストン４、インテイク５、吐出弁６、吸い上げ弁７、パイプ８、パッキン９、連結部材１０、バネ部材１１、ノズル基体１２、ノズル１３、シュラウド１４の他、操作レバー１５、延長カバー１６を備えている。本実施形態の噴出器本体は、ボディ２、シリンダ部材３、ピストン４、インテイク５、吐出弁６、吸い上げ弁７によって、ポンプ機能が得られるように構成されている。なお、本明細書等では便宜上、装着キャップ１に対して連結部材１０が位置する側を上方、逆側を下方とし、装着キャップ１に対してノズル１３が位置する側を前方、逆側を後方として説明する。また左右とは、前方から後方に向かって視る際の左右方向（図１において紙面手前が右側、奥が左側）である。
【００１８】
装着キャップ１は、図示を省略する容器の口部に装着されて、トリガー式噴出器を容器に固定保持するものである。本実施形態においては、装着キャップ１の内周面に雌ねじ部１ａを設け、この雌ねじ部１ａを容器の口部に設けた雄ねじ部にねじ込むように構成している。なお、装着キャップ１を容器に固定保持させるには、アンダーカット等の他の手段を採用してもよい。
【００１９】
ボディ２は、下方から上方に向けて延在する縦筒部２ａと、縦筒部２ａの上端部付近から前方に向けて延在する横筒部２ｂとを備えている。またボディ２の上下方向中間部には、前方を開放した筒状部２ｃが設けられている。
【００２０】
シリンダ部材３は、前端部を閉鎖した内周壁３ａと、内周壁３ａを取り囲むとともに後端側を閉鎖して内周壁３ａと連結する外周壁３ｂと、外周壁３ｂの後端側を貫通する連通口３ｃを備えている。ここでシリンダ部材３は、筒状部２ｃに挿入されてボディ２に嵌合保持される。
【００２１】
ピストン４は、外周壁３ｂの内周面に対して摺動可能に且つ気密に当接する環状の摺動部４ａを備えている。摺動部４ａには、前方に向けて延在するとともに前方端部を閉鎖した周壁部４ｂが設けられている。なお、周壁部４ｂの前方端部には、左右方向に向けて開口する凹部４ｃが設けられている。
【００２２】
インテイク５は、縦筒部２ａに挿入されてボディ２に嵌合保持される。インテイク５の上端部付近には、横筒部２ｂに通じる貫通孔５ａが設けられ、また上下方向中間部には、連通口３ｃに通じる他の貫通孔５ｂが設けられている。またインテイク５の下方には、装着キャップ１に係合するフランジ５ｃが設けられている。
【００２３】
吐出弁６は、本実施形態では球状をなすものであって、インテイク５における他の貫通孔５ｂの下方に設けた段部に対して着座、離反できるように設けられている。
【００２４】
吸い上げ弁７は、インテイク５に嵌合保持される上端部７ａと、上端部７ａに対して弾性変形可能な中間部７ｂと、貫通孔５ａの下方に設けた段部に対して着座する一方、中間部７ｂが弾性変形することによってこの段部から離反する下端部７ｃとを備えている。
【００２５】
パイプ８は、インテイク５の下端部に嵌合保持されるものである。またパイプ８は、装着キャップ１を容器の口部に装着した状態で容器の底部近傍に至る長さで形成されている。
【００２６】
パッキン９は、円環板状をなすものであって、フランジ５ｃの下方に装着される。パッキン９は、装着キャップ１を容器の口部に装着した際に、口部とフランジ５ｃとの間で挟持されるものであり、これにより容器に収容した内容液の漏れ出しを防止している。
【００２７】
連結部材１０は、横筒部２ｂの上方においてボディ２に保持されるものであり、この状態においてノズル基体１２を保持している。
【００２８】
バネ部材１１は、側面視において前方へ突出するように湾曲した形態をなすものであり、一端部が連結部材１０に一体に連結している。またバネ部材１１の他端部は操作レバー１５に係合していて、操作レバー１５を後方に向けて揺動させた際に、操作レバー１５を前方へ向けて付勢するように作用する。本実施形態のバネ部材１１は、横筒部２ｂを挟んで左右両側に一対設けられている。
【００２９】
ノズル基体１２は、横筒部２ｂの前方端部を取り囲むとともに連結部材１０に保持される筒状部１２ａを備えている。筒状部１２ａは、その前方端部が板状部１２ｂに連結していて、板状部１２ｂには、前方に向かって突出する内側周壁１２ｃと、内側周壁１２ｃを取り囲む外側周壁１２ｄと、内側周壁１２ｃと外側周壁１２ｄとの間で板状部１２ｂを貫通するとともに横筒部２ｂに連通する連通口１２ｅとを備えている。図１に示すように、内側周壁１２ｃの前方外周面には、前後方向に延在する溝部が設けられている。
【００３０】
ノズル１３は、後方に向けて延在して内側周壁１２ｃを取り囲む第二内側周壁１３ａと、外側周壁１２ｄを取り囲む第二外側周壁１３ｂと、第二内側周壁１３ａと第二外側周壁１３ｂに連結する第二板状壁１３ｃとを備えている。第二内側周壁１３ａの内周面には、図１に示すように前後方向に延在する溝部が設けられている。また第二板状壁１３ｃにおいて第二内側周壁１３ａの内側には、前方に向けて開口する噴出口１３ｄが設けられている。ここで、ノズル１３はノズル基体１２に対して回転可能であって、内側周壁１２ｃと第二内側周壁１３ａの間には、ノズル１３を回転させると、第二内側周壁１３ａの溝部と内側周壁１２ｃの溝部との重なり具合が変化する開閉機構が設けられている。
【００３１】
シュラウド１４は、ボディ２の上側、後側、左側及び右側を覆い隠すものであり、ボディ２に対して後方から前方に向けてスライドさせることによって、ボディ２に嵌合保持される。
【００３２】
操作レバー１５は、前方壁１５ａと、前方壁１５ａの左右に設けられた一対の側壁１５ｂとを備えている。側壁１５ｂの上端部は、連結部材１０の左右両側に設けた軸部に回動可能に保持されるものであり、これによって操作レバー１５は、連結部材１０に対して前後方向に揺動可能に保持されている。また側壁１５ｂにおける内側面（対向するもう一方の側壁１５ｂに正対する面）には、円柱状をなすとともにピストン４の凹部４ｃに保持される連結軸１５ｃが設けられている。なお本実施形態の操作レバー１５は、前後方向に分離する成形金型によって形成されるものであって、前方壁１５ａにおける連結軸１５ｃに正対する部位には、連結軸１５ｃを形成するための開口１５ｄが設けられている。
【００３３】
延長カバー１６は、長手方向の長さが前方壁１５ａよりも長い延長前方壁１６ａと、延長前方壁１６ａの左右両側に設けられ、長手方向の長さが側壁１５ｂよりも長い一対の延長側壁１６ｂとを備えていて、延長前方壁１６ａと一対の延長側壁１６ｂの間に内側空間Ｓを形成している（図３（ｄ）参照）。また延長前方壁１６ａの先端部は、図３（ｂ）に示すように、前方から後方に向かって屈曲している。そして、内側空間Ｓにおいて延長前方壁１６ａの上下方向中間部には、延長前方壁１６ａと延長側壁１６ｂに連結する仕切り壁１６ｃが設けられている。また延長側壁１６ｂの内側面（内側空間Ｓ側の面）には、もう一方の延長側壁１６ｂに向けて延在し、更に延長前方壁１６ａに向けて突出する断面Ｌ字状のレール部１６ｄが設けられている。本実施形態においては、両方の延長側壁１６ｂにそれぞれ１つずつ設けている。なお、本実施形態の延長カバー１６も前後方向に分離する成形金型によって形成されるものであり、延長前方壁１６ａにおけるレール部１６ｄに正対する部位には、延長前方壁１６ａを貫く貫通孔１６ｅが設けられている。そして延長前方壁１６ａの上方における内側面（内側空間Ｓ側の面）には、突部１６ｆが設けられている。また延長前方壁１６ａの外側面には、凹凸状に設けられた滑り止め部１６ｇが設けられている。
【００３４】
そして延長カバー１６を操作レバー１５に取り付けるにあたっては、内側空間Ｓに対して操作レバー１５を先端側から挿入し、延長前方壁１６ａが前方壁１５ａに沿うようにしてスライドさせることにより、レール部１６ｄが側壁１５ｂに嵌合保持される。また、延長カバー１６をスライドさせていくと、操作レバー１５の先端部が仕切り壁１６ｃに当接するため、延長カバー１６は操作レバー１５に対して所定の位置に装着される。このように本実施形態の延長カバー１６によれば、側壁１５ｂにレール部１６ｄが嵌合して延長側壁１６ｂが側壁１５ｂに保持されるため、延長カバー１６を左右に捻ったり、これを前後方向に撓ませたりしても、操作レバー１５から簡単に外れることはない。また操作レバー１５の先端部が仕切り壁１６ｃに当接した際には、突部１６ｆが開口１５ｄの下縁部に係合するため、取り付けた延長カバー１６が簡単に抜け出すこともない。
【００３５】
このように構成されるトリガー噴出器は、不図示の容器に取り付けた後、延長カバー１６の延長前方壁１６ａに指をかけて後方へ力を加えると、操作レバー１５は、バネ部材１１の付勢力に抗して後方に向けて揺動し、凹部４ｃに保持された連結軸１５ｃがピストン４を後方へ移動させる。これにより、シリンダ部材３内に導入されていた内容液は、連通口３ｃと他の貫通孔５ｂを介してインテイク５に送給される。そして圧力が上昇した内容液は、吸い上げ弁７の下端部７ｃを上昇させ、これにより内容液が貫通孔５ａを通して横筒部２ｂに導入される。更に内容液は、連通口１２ｅを通過して第二内側周壁１３ａの溝部と内側周壁１２ｃの溝部との間を通り、噴出口１３ｄから噴出される。
【００３６】
その後、延長カバー１６へ加えていた力を緩めると、バネ部材１１の付勢力によって、操作レバー１５は前方に向けて揺動し、ピストン４も前方に向けて移動する。これにより、シリンダ部材３内が負圧化されて吐出弁６が上昇するため、容器に収容した内容液は、パイプ８を通してインテイク５に導入され、更に、他の貫通孔５ｂと連通口３ｃを介してシリンダ部材３内に導入される。従って、再び延長カバー１６を後方へ向けて揺動すれば、再度内容液を噴出することができる。
【００３７】
本実施形態においては、延長カバー１６によって操作レバー１５の長さを延長しているため、操作レバー１５を単独で使用する場合よりも力を軽減させることができる。また延長カバー１６に対して、インモールドラベル等を施せば、トリガー噴出器として目立つ部分が加飾されるため、低コストで装飾性を高めることができる。なお、延長カバー１６を装着せずとも、従来のトリガー式噴出器の如く使用することができる。
【００３８】
次に、本発明に従うトリガー式噴出器の第二実施形態について、図４〜図６を参照しながら説明する。本実施形態のトリガー式噴出器は、先に説明した延長カバー１６に替えて、延長カバー１７を備えるものである。なお、その他の構成については先に説明した第一実施形態と同一であるため、図面に同一の符号を付して説明は省略する。
【００３９】
延長カバー１７は、図６に示すように、前述の延長前方壁１６ａ、延長側壁１６ｂ、仕切り壁１６ｃ、レール部１６ｄ、貫通孔１６ｅと同様の構成になる、延長前方壁１７ａ、延長側壁１７ｂ、仕切り壁１７ｃ、レール部１７ｄ、貫通孔１７ｅを備えていて、延長前方壁１７ａと一対の延長側壁１７ｂの間に内側空間Ｓを形成している。また仕切り壁１７ｃには、前方に向けて先端が突き出す爪部１７ｆが設けられている。更に延長前方壁１７ａには、前後方向に分離する成形金型によって爪部１７ｆを形成するための第二貫通孔１７ｇが設けられている。
【００４０】
このような構成になる延長カバー１７も、先に説明した延長カバー１６と同様に、内側空間Ｓに対して操作レバー１５の先端側から挿入し、延長前方壁１７ａが前方壁１５ａに沿うようにしてスライドさせる。これにより、レール部１７ｄが側壁１５ｂに嵌合保持され、また操作レバー１５の先端部が仕切り壁１７ｃに当接して、延長カバー１７は操作レバー１５に対して所定の位置に装着される。すなわち、本実施形態の延長カバー１７においても、これを左右に捻ったり前後方向に撓ませたりしても、操作レバー１５から簡単に外れることはない。またこの状態において、図４に示すように爪部１７ｆが操作レバー１５の先端部（屈曲した延長前方壁１７ａの先端部）に係合するため、取り付けた延長カバー１７が簡単に抜け出すこともない。
【００４１】
そして本発明に従うトリガー式噴出器の第三実施形態について、図７〜図９を参照しながら説明する。本実施形態のトリガー式噴出器は、先に説明した延長カバー１６に替えて、延長カバー１８を備えるものであって、その他の構成については先に説明した第一実施形態と同一であるため、図面に同一の符号を付して説明は省略する。
【００４２】
延長カバー１８は、図９に示すように、前述の延長前方壁１６ａ、延長側壁１６ｂ、レール部１６ｄ、貫通孔１６ｅ、突部１６ｆと同様の構成になる、延長前方壁１８ａ、延長側壁１８ｂ、レール部１８ｄ、貫通孔１８ｅ、突部１８ｆを備えていて、延長前方壁１８ａと一対の延長側壁１８ｂの間に内側空間Ｓを形成している。なお、延長前方壁１６ａの先端部は後方に向けて若干湾曲していたが、延長前方壁１８ａの先端部は前方に向けて延在している。また前述の仕切り壁１６ｃに対して、本実施形態の仕切り壁１８ｃは、厚みが薄くなっていて、撓み変形可能に設けられている。
【００４３】
このような延長カバー１８も、操作レバー１５に装着するには、前述の延長カバー１６と同様に、内側空間Ｓに対して操作レバー１５の先端側から挿入し、延長前方壁１８ａが前方壁１５ａに沿うようにスライドさせればよい。
【００４４】
ところで、例えば原材料の種類や成形時の各種条件の違いなどによって操作レバー１５の全長が大きくなることがある。図１０に示す操作レバー１５は全長が若干大きくなっているが、本実施形態の延長カバー１８によれば、仕切り壁１８ｃの厚みが薄いため、当接する操作レバー１５の先端部でこれを撓ませることができる。従って、全長が大きな操作レバー１５であっても、突部１８ｆを開口１５ｄの下縁部に係合させることができるため、操作レバー１５に対して良好に装着することができる。なお、図１０に示した仕切り壁１８ｃの撓み具合は一例に過ぎず、図示例に限定されるものではない。
【００４５】
なお延長カバー１８は、図１１に示すような仕切り壁１８ｃ’を備えるものでもよい。図１１に示す仕切り壁１８ｃ’は、延長前方壁１８ａに一体に連結する一方、一対の延長側壁１８ｂとは非連結としている。このように構成する場合も、操作レバー１５に装着した際、その先端部で仕切り壁１８ｃ’を撓ませて突部１８ｆを開口１５ｄの下縁部に係合させることができる。
【００４６】
以上、本発明について具体的な実施形態を示しながら説明したが、本発明に従うトリガー式噴出器は、上述した実施形態に限られるものではなく、特許請求の範囲に従う範疇で種々の変更を加えたものも含まれる。例えば、第一実施形態における延長カバー１６に、延長カバー１７の爪部１７ｆを追加してもよい。また第二実施形態の延長カバー１７や第三実施形態の延長カバー１８に、延長カバー１６の滑り止め部１６ｇを設けてもよい。また、レール部１６ｄ、１７ｄ、１８ｄは、上述した実施形態のように左右に一対設けることが好ましいが、何れか一つでもよい。また、設ける数を増やしてもよい。更に、ポンプ機能を発揮させる構造は、上述した実施形態に限られず、操作レバー１５を前後方向に揺動させることによって内容液が噴出される様々なものを採用することができる。
【符号の説明】
【００４７】
１：装着キャップ
１ａ：雌ねじ部
２：ボディ
２ａ：縦筒部
２ｂ：横筒部
２ｃ：筒状部
３：シリンダ部材
３ａ：内周壁
３ｂ：外周壁
３ｃ：連通口
４：ピストン
４ａ：摺動部
４ｂ：周壁部
４ｃ：凹部
５：インテイク
５ａ：貫通孔
５ｂ：他の貫通孔
５ｃ：フランジ
６：吐出弁
７：吸い上げ弁
７ａ：上端部
７ｂ：中間部
７ｃ：下端部
８：パイプ
９：パッキン
１０：連結部材
１１：バネ部材
１２：ノズル基体
１２ａ：筒状部
１２ｂ：板状部
１２ｃ：内側周壁
１２ｄ：外側周壁
１２ｅ：連通口
１３：ノズル
１３ａ：第二内側周壁
１３ｂ：第二外側周壁
１３ｃ：第二板状壁
１３ｄ：噴出口
１４：シュラウド
１５：操作レバー
１５ａ：前方壁
１５ｂ：側壁
１５ｃ：連結軸
１５ｄ：開口
１６：延長カバー
１６ａ：延長前方壁
１６ｂ：延長側壁
１６ｃ：仕切り壁
１６ｄ：レール部
１６ｅ：貫通孔
１６ｆ：突部
１６ｇ：滑り止め部
１７：延長カバー
１７ａ：延長前方壁
１７ｂ：延長側壁
１７ｃ：仕切り壁
１７ｄ：レール部
１７ｅ：貫通孔
１７ｆ：爪部
１７ｇ：第二貫通孔
１８：延長カバー
１８ａ：延長前方壁
１８ｂ：延長側壁
１８ｃ、１８ｃ’：仕切り壁
１８ｄ：レール部
１８ｅ：貫通孔
１８ｆ：突部
Ｓ：内側空間
【図１】
2019210051.tif 000003
【図２】
2019210051.tif 000004
【図３】
2019210051.tif 000005
【図４】
2019210051.tif 000006
【図５】
2019210051.tif 000007
【図６】
2019210051.tif 000008
【図７】
2019210051.tif 000009
【図８】
2019210051.tif 000010
【図９】
2019210051.tif 000011
【図１０】
2019210051.tif 000012
【図１１】
2019210051.tif 000013